(57)【要約】【課題】使用者が横たわる際の負担を効果的に軽減することが可能な液圧式マッサージ装置を提供する。【解決手段】ウォーターベッド１は、水袋４０内に充填された水を使用者に噴き付けてマッサージを行う。作業者がレバー９０の取手９１を操作することにより枠６０が下方に移動されると、押さえ部７３が、シート５０を介して水袋４０の上面４１の周辺部を上から押さえつける。これにより、水袋４０内の圧力が高められるため、使用者が水袋４０に着座しても、使用者の沈み込みが抑制される。よって、使用者は、円滑に水袋４０上に横たわることができる。【選択図】図８
2015208475.tif 000002
【特許請求の範囲】
【請求項１】
液体を使用者に噴き付けてマッサージを行う液圧式マッサージ装置において、
前記液体が注入される袋部材と、
前記袋部材を変形させることにより前記袋部材内の圧力を変化させる圧力調整部と、を備える、
ことを特徴とする液圧式マッサージ装置。
【請求項２】
請求項１に記載の液圧式マッサージ装置において、
前記圧力調整部は、前記袋部材を内側方向に押さえつける押さえ機構を有する、
ことを特徴とする液圧式マッサージ装置。
【請求項３】
請求項２に記載の液圧式マッサージ装置において、
前記押さえ機構は、前記袋部材の上方に配された押さえ部材と、前記押さえ部材を上下動させる駆動機構と、を有する、
ことを特徴とする液圧式マッサージ装置。
【請求項４】
請求項３に記載の液圧式マッサージ装置において、
前記駆動機構は、操作レバーを備え、前記操作レバーが操作されることにより、前記押さえ部材が上下動される、
ことを特徴とする液圧式マッサージ装置。
【請求項５】
請求項２に記載の液圧式マッサージ装置において、
前記押さえ機構は、前記袋部材の下方に配され、前記袋部材の下面の少なくとも一部を上下させる押し上げ機構を有する、
ことを特徴とする液圧式マッサージ装置。
【請求項６】
請求項５に記載の液圧式マッサージ装置において、
前記押し上げ機構は、使用者による液圧式マッサージ装置の使用状態において使用者の頭側の端の位置または足側の端の位置に配置されている、
ことを特徴とする液圧式マッサージ装置。
【請求項７】
請求項２に記載の液圧式マッサージ装置において、
前記押さえ機構は、前記袋部材の上方に配され、水平方向に延びる軸によって上下方向に回動可能に軸支された枠状の押さえ部材を有し、
前記押さえ部材は、前記軸と反対側の前記押さえ部材の端部に下向きの力が付与されることにより、前記軸を中心として回転して傾いて、前記袋部材の周辺を上側から押さえ付けるよう構成されている、
ことを特徴とする液圧式マッサージ装置。
【発明の詳細な説明】
【技術分野】
【０００１】
本発明は、使用者に液圧による刺激を与える液圧式マッサージ装置に関する。
【背景技術】
【０００２】
従来、支持シート上に横たわる使用者に液圧による刺激を与える液圧式マッサージ装置が知られている（たとえば、特許文献１）。この種のマッサージ装置では、水槽の開口が支持シートにより覆われて密閉空間が形成され、この空間に水等の液体が充填される。さらに、水槽の底部に噴射ノズルが配置され、この噴射ノズルから支持シートに向かって液体が噴射される。こうして、支持シート上に横たわる使用者に、支持シートを介して液圧による刺激が与えられ、使用者にマッサージが施される。
【０００３】
また、水等を充填するための密閉空間を形成するために、上記水槽と支持シートに替えて、袋部材を用いた液圧式マッサージも知られている。この種のマッサージ装置では、袋部材の下面に配された噴射ノズルから袋部材の上面に向かって液体が噴射される。こうして、袋部材の上面に横たわる使用者にマッサージが施される。
【先行技術文献】
【特許文献】
【０００４】
【特許文献１】特開２０１０−２５３２８８号公報
【発明の概要】
【発明が解決しようとする課題】
【０００５】
上記袋部材を用いた液圧式マッサージ装置では、使用者に効果的に刺激を与えるために、袋部材の上面が弾性に富む素材から構成されている。このため、袋部材の上面は、当該上面を押されると比較的容易に撓み、使用者が一人で袋部材の上面に横たわるには、ある程度の労力が必要となる。
【０００６】
また、使用者が高齢者等であるような場合、着座時に、使用者の予想を超えて袋部材の上面が大きく撓むと、使用者がバランスを崩して、円滑な動作が阻害されることが起こり得る。このため、高齢者には介添者の補助が必要となるが、介添者の補助を受けたとしても、高齢者には、比較的大きな労力が掛ってしまう。
【０００７】
上記課題に鑑み、本発明は、使用者が横たわる際の負担を効果的に軽減することが可能な液圧式マッサージ装置を提供することを目的とする。
【課題を解決するための手段】
【０００８】
本発明の主たる態様は、液体を使用者に噴き付けてマッサージを行う液圧式マッサージ装置に関する。この態様に係る液圧式マッサージ装置は、前記液体が注入される袋部材と、前記袋部材を変形させることにより前記袋部材内の圧力を変化させる圧力調整部と、を備える。
【０００９】
本態様に係る液圧式マッサージ装置によれば、圧力調整部により袋部材が変形され、袋部材内の圧力が高められると、袋部材は使用者が着座しても撓みにくくなる。これにより、使用者は円滑に袋部材に着座することができるため、使用者が袋部材の上に横たわる際の負担を効果的に軽減することができる。
【００１０】
本態様に係る液圧式マッサージ装置において、前記圧力調整部は、前記袋部材を内側方向に押さえつける押さえ機構を有する構成とされ得る。こうすると、押さえ機構が袋部材を押さえつけることにより袋部材内の圧力が高められるため、袋部材は使用者が着座しても撓みにくくなる。
【００１１】
この場合、前記押さえ機構は、前記袋部材の上方に配された押さえ部材と、前記押さえ部材を上下動させる駆動機構と、を有する構成とされ得る。こうすると、作業者が駆動機構を介して押さえ部材を下方向へ移動させることにより、袋部材の上面が押さえ部材により押さえつけられるため、袋部材内の圧力が高められる。よって、袋部材は使用者が着座しても撓みにくくなる。また、作業者が駆動機構を介して押さえ部材を上方向へ移動させると、袋部材の上面が押さえつけられなくなるため、袋部材内の圧力は低くなる。よって、袋部材が撓み易くなるため、使用者が袋部材に埋もれ易くなり、使用者に対するマッサージ効果を高めることができる。
【００１２】
また、前記駆動機構は、操作レバーを備え、前記操作レバーが操作されることにより、前記押さえ部材が上下動され得る。
【００１３】
本態様に係る液圧式マッサージ装置において、前記押さえ機構は、前記袋部材の下方に配され、前記袋部材の下面の少なくとも一部を上下させる押し上げ機構を有する構成とされ得る。こうすると、押し上げ機構が作動されて、袋部材の下面が押し上げられると、袋部材の体積が減少し、袋部材内の圧力が高められる。よって、袋部材は使用者が着座しても撓みにくくなる。また、押し上げ機構が作動されて、袋部材の下面の押し上げが解除されると、袋部材の体積が増加し、袋部材内の圧力は低くなる。よって、袋部材が撓み易くなるため、使用者が袋部材に埋もれ易くなり、使用者に対するマッサージ効果を高めることができる。
【００１４】
この場合、前記押し上げ機構は、使用者による液圧式マッサージ装置の使用状態において使用者の頭側の端の位置または足側の端の位置に配置され得る。一般に、使用者の頭部または足先にはマッサージが施されないため、使用者の頭側の端の位置または足側の端の位置には、マッサージ機能を付与するための構成以外の構成を配置可能なスペースがある。よって、上記のように、押し上げ機構を使用者の頭側の端の位置または足側の端の位置に配置することにより、マッサージ機能を付与するための構成に支障なく押し上げ機構を配置することができる。なお、使用者の足先にもマッサージを施す場合には、押し上げ機構は使用者の頭側の端に配置すると良い。
【００１５】
本態様に係る液圧式マッサージ装置において、前記押さえ機構は、前記袋部材の上方に配され、水平方向に延びる軸によって上下方向に回動可能に軸支された枠状の押さえ部材を有し、前記押さえ部材は、前記軸と反対側の前記押さえ部材の端部に下向きの力が付与されることにより、前記軸を中心として回転して傾いて、前記袋部材の周辺を上側から押さえ付けるよう構成され得る。こうすると、使用者が押さえ部材の軸と反対側の端部に着座することにより押さえ部材が傾き、袋部材の上面が押さえ部材により押さえつけられるため、袋部材内の圧力が高められる。よって、着座後に、たとえば使用者が袋部材の上面に手を付いて、使用者の体重が袋部材にかけられても、袋部材は撓みにくくなる。結果、使用者は液圧式マッサージ装置に円滑に横たわることができる。また、使用者が液圧式マッサージ装置上に横たわった状態では、枠状の押さえ部材の内側に使用者が収まるため、使用者の体重が押さえ部材にかからなくなる。このため、押さえ部材による袋部材の抑え込みが解除され、袋部材内の圧力は低くなる。よって、袋部材が撓み易くなるため、使用者が袋部材に埋もれ易くなり、使用者に対するマッサージ効果を高めることができる。
【発明の効果】
【００１６】
以上のとおり、本発明によれば、使用者が横たわる際の負担を効果的に軽減することが可能な液圧式マッサージ装置を提供することができる。
【００１７】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００１８】
【図１】実施例１に係る外箱と、ポンプユニットと、板部材と、水袋の構成を示す斜視図である。
【図２】実施例１に係る鍔部の下面側の構成を示す図、支持部により軸が設置される手順を示す図、および、ポンプユニットと、板部材と、水袋の設置を詳細に示す図である。
【図３】実施例１に係るシートの構成を示す斜視図である。
【図４】実施例１に枠の構成を示す斜視図である。
【図５】実施例１に係るレバーの構成を示す斜視図、および、組み立てが完成したウォーターベッドの構成を示す斜視図である。
【図６】実施例１に係る取手が操作されることにより枠が上下する動作について説明する図である。
【図７】実施例１に係る取手が操作されることにより枠が上下する動作について説明する図である。
【図８】実施例１に係るウォーターベッドの作用を模式的に示す図である。
【図９】実施例１に係るウォーターベッドの作用を模式的に示す図である。
【図１０】実施例２に係る外箱と、ジャッキと、水袋と、平板の構成を示す斜視図である。
【図１１】実施例２に係る枠部材の構成を示す斜視図である。
【図１２】実施例２に係る組み立てが完了したウォーターベッドの構成を示す斜視図、および、ウォーターベッドの作用を模式的に示す図である。
【図１３】実施例３に係る外箱の構成を示す斜視図である。
【図１４】実施例３に係る枠部材と軸の構成を示す斜視図である。
【図１５】実施例３に係る組み立てが完了したウォーターベッドの構成を示す斜視図、および、枠の動作を示す模式図である。
【図１６】実施例３に係るウォーターベッドの作用を模式的に示す図である。
【図１７】実施例３に係るウォーターベッドの作用を模式的に示す図である。
【図１８】実施例２の変更例に係るジャッキと水袋の構成を示す模式図である。
【発明を実施するための形態】
【００１９】
以下、本発明の実施の形態につき図面を参照して説明する。
【００２０】
以下に示す実施の形態において、ウォーターベッド１は、請求項に記載の「液圧式マッサージ装置」に相当する。水袋４０は、請求項に記載の「袋部材」に相当する。枠６０は、請求項に記載の「圧力調整部」、「押さえ機構」、「押さえ部材」に相当する。レバー９０は、請求項に記載の「圧力調整部」、「押さえ機構」、「駆動機構」、「操作レバー」に相当する。ジャッキ２１０は、請求項に記載の「圧力調整部」、「押さえ機構」、「押し上げ機構」に相当する。枠部材３１０は、請求項に記載の「圧力調整部」、「押さえ機構」、「押さえ部材」に相当する。軸３２０は、請求項に記載の「圧力調整部」、「押さえ機構」に相当する。ただし、上記請求項と本実施の形態との対応の記載は、あくまで一例であって、請求項に係る発明を本実施の形態に限定するものではない。
【００２１】
＜実施例１＞
以下、図１〜図５（ｂ）を参照して、本実施例に係るウォーターベッド１の構成を組み立て手順に沿って説明する。なお、以下の図面では、便宜上、互いに直交するＸ、Ｙ、Ｚ軸が示されている。Ｘ−Ｙ平面は、水平面に平行で、Ｚ軸方向は鉛直方向である。
【００２２】
図１は、外箱１０と、ポンプユニット２０と、板部材３０と、水袋４０の構成を示す斜視図である。
【００２３】
外箱１０は、上面１１に形成された凹部１２によって上部が開放された縦長の箱形状を有している。凹部１２の底面には、平面視において凹部１２よりも小さい凹部１３が設けられている。外箱１０の上部のＹ軸正側とＹ軸負側には、それぞれ、Ｘ−Ｙ平面方向に延びた鍔部１４が設けられている。２つの鍔部１４の下面１４ａには、Ｘ軸方向に延びた軸１５が設置されている。
【００２４】
図２（ａ）は、鍔部１４の下面１４ａ側の構成を示す図である。なお、Ｙ軸正側とＹ軸負側における外箱１０の側面の構成は、Ｘ−Ｚ平面に対して対称であるため、ここではＹ軸負側の構成についてのみ説明する。
【００２５】
軸１５には、所定の厚みを有する平板からなる３つの回転部材１６が設置されている。これら回転部材１６は、軸１５から放射状に延び、且つ、互いに平行となるように軸１５に固定されている。軸１５は、４つの支持部１７によって鍔部１４の下面１４ａに、回転可能となるよう設置されている。
【００２６】
図２（ｂ）、（ｃ）は、支持部１７により軸１５が設置される手順を示す図である。
【００２７】
鍔部１４の下面１４ａには、２つのネジ孔１４１が形成されている。支持部１７は、互いに同じ形状を有する２つの支持部材１７ａと、２つのネジ１７ｂから構成されている。支持部材１７ａには、Ｘ軸方向に延びる凹部１７１と、Ｚ軸方向に貫通する２つの孔１７２が形成されている。組み立て時には、図２（ｂ）に示すように、２つの凹部１７１の間に軸１５が挟まれるようにして、孔１７２にネジ１７ｂが通される。そして、図２（ｃ）に示すように、ネジ１７ｂの先端がネジ孔１４１に固定され、軸１５の設置が完了する。なお、２つの支持部材１７ａの凹部１７１によって作られる孔の径は、軸１５の径よりも僅かに大きい。
【００２８】
図２（ａ）に戻り、軸１５がＸ軸を中心として回転させられると、軸１５に設置されている部分とは反対側の回転部材１６の端部１６ａが、軸１５を回転の中心として回転する。これにより、端部１６ａの位置が、Ｚ軸方向において変化するため、後述するように、鍔部７４（図４参照）が端部１６ａによりＺ軸負方向に押されるようになる。かかる動作については、追って図６（ａ）〜図７（ｂ）を参照して説明する。
【００２９】
図１に戻り、ポンプユニット２０は、上面に４つの排出口２１と、Ｙ軸正側とＹ軸負側の側面に２つの吸引口２２を有する。板部材３０は、凹部１３の上方を覆うための板状の部材であり、板部材３０には６つの孔３１が形成されている。水袋４０は、平面視において凹部１２と略同じ大きさを有する袋状の部材である。水が封入されると、水袋４０は、略直方体形状となる。水袋４０の上面４１には、Ｙ軸方向に延びた開口部４１ａが形成されている。水袋４０の下面４２には、下面４２を上下方向に貫通する６つのカプラ４３（図２（ｄ）参照）が予め設置されている。
【００３０】
組み立て時には、まず、凹部１３にポンプユニット２０が設置される。このとき、ポンプユニット２０は、凹部１３に設けられた孔（図示せず）を介して、外部の回路基板（図示せず）と接続される。続いて、板部材３０が凹部１３の上部を覆うように設置され、水袋４０が凹部１２に嵌め込まれる。
【００３１】
図２（ｄ）は、図１で説明したポンプユニット２０と、板部材３０と、水袋４０の設置を詳細に示す図である。図２（ｄ）には、図１に示す構成をＹ−Ｚ平面で切断したときの断面をＸ軸負方向に見た場合の図が示されている。
【００３２】
組み立て時には、凹部１３に設置されたポンプユニット２０の４つの排出口２１と２つの吸引口２２に、それぞれ、略同じ長さのチューブが接続される。そして、これらチューブの他端が、板部材３０の孔３１に通され、板部材３０が凹部１３の上部を覆うように設置される。そして、水袋４０の下面４２に予め設置された６つのカプラ４３が、孔３１を介して、それぞれ、上記チューブに接続される。これにより、ポンプユニット２０の排出口２１が、中央の４つのカプラ４３を介して水袋４０の内部と連結され、ポンプユニット２０の吸引口２２が、外側の２つのカプラ４３を介して水袋４０の内部と連結される。なお、中央の４つのカプラ４３は、ノズルの機能を有するよう先端の径が小さく構成されている。これにより、中央の４つのカプラ４３から上方向に勢い良く水が噴出され得る。
【００３３】
なお、ここでは、水袋４０の下面４２の中央に４つのカプラ４３が配置され、これらのカプラ４３から上方向に水が噴出されたが、水袋４０の下面４２に４つの噴出装置を配置し、ポンプユニット２０の４つの排出口２１に接続されたチューブが、それぞれ、４つの噴出装置に連結されても良い。
【００３４】
図１と図２（ｄ）に示すように組み立てが行われた後、水袋４０の開口部４１ａを介して、水袋４０内に水が充填され、開口部４１ａが封止される。しかる後、図３に示すように、シート５０が外箱１０の上面１１に設置される。
【００３５】
図３は、シート５０の構成を示す斜視図である。
【００３６】
シート５０は、弾性に富む材料から構成されており、平面視において、凹部１２よりも大きく、上面１１よりも小さい。組み立て時には、シート５０の周辺部の下面側と上面１１とが、マジックテープ（登録商標）により固定される。しかる後、図４に示すように、枠６０が外箱１０の上部に設置される。なお、シート５０は、他の固定手段によって固定されても良い。
【００３７】
図４は、枠６０の構成を示す斜視図である。
【００３８】
枠６０は、枠部材７０と、前面部材８１と、後面部材８２から構成されている。枠部材７０は、Ｚ軸方向に貫通する開口７１と、開口７１の周囲に設けられ上面７２よりもＺ軸負側に位置する押さえ部７３と、Ｙ軸正側とＹ軸負側に設けられ押さえ部７３よりもＺ軸負側に位置する２つの鍔部７４と、Ｘ軸正側とＸ軸負側にそれぞれ設けられた開口７５、７６と、を有する。平面視において、枠部材７０の上面７２と押さえ部７３との段差部分の輪郭は、図３に示す凹部１２の輪郭よりも僅かに小さい。上面７２と鍔部７４との間には、Ｚ軸方向に隙間が設けられている。また、上面７２と、押さえ部７３と、鍔部７４は、Ｘ−Ｙ平面に平行である。
【００３９】
前面部材８１と後面部材８２の大きさは、それぞれ、開口７５、７６と略同じである。前面部材８１のＹ軸正側とＹ軸負側の端部付近には、前面部材８１をＸ軸方向に貫通すると共に、Ｚ軸方向に延びた形状を有する長孔８１ａが形成されている。
【００４０】
組み立て時には、まず、枠部材７０の開口７６が、外箱１０の前方に位置付けられ、上面７２と鍔部７４との隙間に、鍔部１４と軸１５が位置付けられる。このとき、軸１５が回転され、回転部材１６がＸ−Ｙ平面に平行な状態とされる。そして、開口７１が、外箱１０の中央に位置付けられるまで、枠部材７０がＸ軸負方向にスライドされる。しかる後、枠部材７０の開口７５、７６に、それぞれ、前面部材８１と後面部材８２が設置される。このとき、長孔８１ａから、軸１５の前方の端部が突出する状態とされる。こうして枠部材７０、前面部材８１および後面部材８２が組み付けられた後、図５（ａ）に示すように、軸１５の前方の端部にレバー９０が設置される。
【００４１】
図５（ａ）は、レバー９０の構成を示す斜視図である。
【００４２】
レバー９０は、棒状の取手９１と、取手９１の一方の端部に設けられた取付具９２を有する。組み立て時には、軸１５に設置されている回転部材１６が、Ｘ−Ｙ平面に平行となっている状態で、取手９１がＹ軸に平行となるようにして、取付具９２が軸１５の前方の端部に固定される。図５（ａ）に示すように組み立てが行われた後、図５（ｂ）に示すように、表示入力部１００が外箱１０に設置され、ウォーターベッド１の組み立てが完了する。
【００４３】
図５（ｂ）は、組み立てが完了したウォーターベッド１の構成を示す斜視図である。
【００４４】
表示入力部１００は、外箱１０のＸ軸負側の側面に設置され、作業者による入力を受け付けると共に、ウォーターベッド１の動作状態を表示する。表示入力部１００は、たとえば、タッチパネルによって構成され、電気配線により回路基板に接続されている。
【００４５】
表示入力部１００を介して作業者によりウォーターベッド１の動作指示が入力されると、図１と図２（ｄ）に示すポンプユニット２０が駆動される。具体的には、ポンプユニット２０の吸引口２２から水袋４０内の水が吸い込まれ、ポンプユニット２０の排出口２１から水袋４０内に水が送り出される。これにより、水袋４０内の水が上面４１に対して噴き付けられ、シート５０を介して水袋４０の上面４１に横たわった使用者に対してマッサージが行われる。
【００４６】
次に、取手９１が操作されることにより枠６０が上下する動作について説明する。
【００４７】
図６（ａ）は、取手９１がＹ軸に平行であるときのウォーターベッド１を示す図である。図６（ｂ）は、図６（ａ）に示す直線Ｌ１−Ｌ２を通るＹ−Ｚ平面に平行な面によってウォーターベッド１を切断したときの断面をＸ軸正側から見たときの図である。なお、図６（ｂ）では、便宜上、Ｙ軸負側の鍔部１４の近傍のみが示されている。
【００４８】
図６（ｂ）を参照して、取手９１の傾きがＹ軸に平行であるとき、回転部材１６はＸ−Ｙ平面に平行となっている。このとき、端部１６ａは、枠部材７０の鍔部７４に当接していない。これにより、枠６０（枠部材７０と、前面部材８１と、後面部材８２）は、押さえ部７３がシート５０に当接することによって鉛直方向に支えられている状態となる。なお、図６（ｂ）に示す状態で作業者が取手９１から手を離すと、回転部材１６と取手９１の重みにより回転部材１６が時計方向に僅かに回転し、端部１６ａは鍔部７４の上面に当接した状態となる。しかしながら、この重みは小さいため、枠６０が下方向に押し下げられることはない。
【００４９】
図６（ａ）、（ｂ）に示す状態から図６（ａ）の点線矢印に示すように、作業者が、Ｚ軸に平行となるよう取手９１を回転させると、鍔部７４の上面が回転部材１６の端部１６ａにより下方向に押し下げられる。なお、鍔部７４の上面には、図６（ｂ）に示すように突起７４ａが形成されており、回転部材１６が回転させられると、図６（ｂ）において、端部１６ａが突起７４ａをＹ軸正方向に乗り越えることになる。このとき、回転部材１６の突起１６ｂの時計方向側の平面が鍔部１４の下面１４ａに面接触し、回転部材１６の時計方向の回転が規制される。回転部材１６は、突起１６ｂによる時計方向の回転規制と、突起７４ａによる反時計方向の回転規制によって、図７（ｂ）の位置に固定される。こうして、枠６０が、図６（ａ）、（ｂ）に示す位置から、図７（ａ）、（ｂ）に示す位置まで押し下げられ、図７（ａ）、（ｂ）の位置に固定される。
【００５０】
図７（ａ）は、取手９１がＺ軸に平行であるときのウォーターベッド１を示す図である。図７（ｂ）は、図６（ｂ）と同様、図７（ａ）に示す直線Ｌ１−Ｌ２による断面をＸ軸正側から見た図である。
【００５１】
図７（ｂ）を参照して、取手９１がＺ軸に平行であるとき、回転部材１６はＸ−Ｚ平面に平行となっている。このとき、端部１６ａは、枠部材７０の鍔部７４に当接しており、鍔部７４を下方向に押し下げている。これにより、枠６０全体が下方向に押し下げられ、シート５０を介して水袋４０の上面４１の周辺部が、押さえ部７３により下方向に押し下げられる。このように水袋４０の上面４１の周辺部が下方向に押し下げられると、水袋４０内の圧力が高められる。
【００５２】
図７（ｂ）の状態において、回転部材１６は、上記のとおり、回転部材１６の外周に形成された突起１６ｂと、鍔部７４の上面に形成された突起７４ａとによって、時計方向および反時計方向の回転が抑制される。このため、水袋４０からの反力を受けて回転部材１６が意図せず回転することがなく、枠部材７０は、図７（ａ）、（ｂ）に示す状態に維持される。
【００５３】
図７（ａ）、（ｂ）に示す状態から図７（ａ）の点線矢印に示すように、作業者が、Ｙ軸に平行となるよう取手９１を回転させると、回転部材１６の端部１６ａが上方向に退避する。これにより、水袋４０が元の体積に戻ろうとして上面４１が上方向に移動し、シート５０を介して水袋４０の上面４１の周辺部が、押さえ部７３を上方向に押し上げる。なお、回転部材１６が回転させられると、図７（ｂ）において、端部１６ａが突起７４ａをＹ軸負方向に乗り越えることになる。こうして、枠６０が、図７（ａ）、（ｂ）に示す位置から、図６（ａ）、（ｂ）に示す位置まで上げられる。
【００５４】
＜実施例１の効果＞
本実施例によれば、以下の効果が奏され得る。
【００５５】
図８（ａ）に示すように、使用者がウォーターベッド１に乗り降りする際、作業者により予め取手９１がＺ軸に平行にされると、水袋４０の上面４１の周辺部が下方向に押し下げられ、水袋４０内の圧力が高められる。これにより、図８（ｂ）に示すように、使用者がシート５０に着座したときに、水袋４０の上面４１の周辺部が下方向に押し下げられていない場合に比べて、水袋４０の上面４１が撓みにくくなるため、使用者の沈み込みが抑制される。よって、使用者は円滑にシート５０に着座することができるため、使用者がシート５０上に横たわる際の負担を効果的に軽減することができる。
【００５６】
また、図９（ａ）に示すように、マッサージの際には、作業者により予め取手９１がＹ軸に平行にされると、枠６０が上方向に上昇して、上面４１の周辺部の押さえ込みが解除される。これにより、水袋４０内の圧力が低下し、図９（ｂ）に示すように、水袋４０の上面４１が撓み易くなる。よって、使用者がシート５０を介して水袋４０の上面４１に埋もれ易くなり、使用者に対して良好にマッサージ効果を与えることができる。
【００５７】
また、図７（ａ）、（ｂ）に示すように、取手９１がＺ軸に平行であるとき、突起７４ａ、１６ｂにより、回転部材１６の回転が抑制される。これにより、作業者は、図７（ａ）、（ｂ）の状態を維持するために、取手９１を支え続ける必要がないため、図７（ａ）、（ｂ）の状態が容易に維持され得る。
【００５８】
＜実施例２＞
上記実施例１では、水袋４０の上面４１の周辺部が下方向に押し下げられることにより、水袋４０内の圧力が高められたが、本実施例では、水袋４０の下面を上方向に押し上げることにより、水袋４０内の圧力が高められる。以下、図１０〜図１２（ａ）を参照して、本実施例に係るウォーターベッド１の構成を組み立て手順に沿って説明する。
【００５９】
図１０は、外箱１０と、ジャッキ２１０と、水袋４０と、板部材２２０の構成を示す斜視図である。
【００６０】
本実施例の外箱１０は、上記実施例１の外箱１０において、凹部１２のＹ軸負側の底面に凹部２０１が設けられており、鍔部１４と、鍔部１４の近傍の構成とが省略された構成となっている。また、本実施例の外箱１０では、上記実施例１と同様、図２（ｄ）を参照して説明したように、凹部１３にポンプユニット２０が設置され、凹部１３を覆うように板部材３０が設置される。本実施例の水袋４０は、上記実施例１の水袋４０において、Ｙ軸負側の下面４２に突出部２３０が形成された構成となっている。突出部２３０の下面２３１は、下面４２よりもＺ軸負側に位置付けられている。
【００６１】
ジャッキ２１０は、モータ２１１が駆動されることにより、Ｚ軸方向に伸縮するよう構成されている。板部材２２０は、平面視において、外箱１０の凹部２０１よりも僅かに小さい。
【００６２】
組み立て時には、凹部２０１に、ジャッキ２１０が設置される。このとき、ジャッキ２１０のモータ２１１は、凹部２０１に設けられた孔（図示せず）を介して、外部の回路基板（図示せず）と接続される。続いて、板部材２２０がジャッキ２１０の上部に設置され、水袋４０が凹部１２に嵌め込まれる。このとき、突出部２３０の下面２３１が、板部材２２０の真上に位置付けられる。なお、本実施例においても、図２（ｄ）を参照して説明したように、水袋４０の下面４２に予め設置された６つのカプラ４３が、ポンプユニット２０に接続され、水袋４０が凹部１２にセットされる。
【００６３】
図１０に示すように組み立てが行われた後、上記実施例１と同様、水袋４０の開口部４１ａを介して、水袋４０内に水が充填され、開口部４１ａが封止される。しかる後、図１１に示すように、上記実施例１と同様のシート５０が上面１１に設置され、さらにシート５０の上から上面１１に対して枠部材２４０が設置される。
【００６４】
図１１は、枠部材２４０の構成を示す斜視図である。
【００６５】
枠部材２４０は、平面視において、外箱１０と略同じ大きさであり、Ｚ軸方向に貫通する開口２４１を有する。開口２４１は、平面視において、外箱１０の凹部１２よりも小さい。組み立て時には、シート５０の周辺部が上面１１に固定され、その上から上面１１に対して枠部材２４０の周辺部が固定される。しかる後、上記実施例１と同様、表示入力部１００が設置され、図１２（ａ）に示すように、ウォーターベッド１の組み立てが完了する。
【００６６】
＜実施例２の効果＞
本実施例によれば、以下の効果が奏され得る。
【００６７】
図１２（ｂ）に示すように、使用者がウォーターベッド１に乗り降りする際、作業者により表示入力部１００を介して指示が入力され、ジャッキ２１０が最も伸びた状態とされる。このとき、枠部材２４０により水袋４０の上方向への移動が抑制された状態で、突出部２３０の下面２３１が、ジャッキ２１０により板部材２２０を介して上に押し上げられるため、水袋４０内の圧力が高められる。これにより、上記実施例１と同様、使用者がシート５０に着座したときに、突出部２３０の下面２３１が上に押し上げられていない場合に比べて、水袋４０の上面４１が撓みにくくなるため、使用者の沈み込みが抑制される。よって、使用者は円滑にシート５０に着座することができるため、使用者がシート５０上に横たわる際の負担を効果的に軽減することができる。
【００６８】
また、図１２（ｃ）に示すように、マッサージの際は、作業者により表示入力部１００を介して指示が入力され、ジャッキ２１０が最も縮んだ状態とされる。このとき、突出部２３０の下面２３１が上に押し上げられることがない。これにより、上記実施例１と同様、水袋４０の上面４１が撓み易くなる。よって、使用者がシート５０を介して水袋４０の上面４１に埋もれ易くなり、使用者に対してマッサージ効果を与えることができる。
【００６９】
また、ジャッキ２１０により押し上げられる水袋４０の部分には、水袋４０の外側方向に突出した突出部２３０が設けられている。これにより、図１２（ｂ）、（ｃ）に示すように、ジャッキ２１０により水袋４０が押し込まれて変形しても、変形によって水袋４０が過度に引っ張られるようなことがないため、水袋４０の破損を回避することができる。
【００７０】
また、一般に、使用者の頭部にはマッサージが施されないため、使用者の頭側の端の位置、すなわち、外箱１０のＹ軸負側には、マッサージ機能を付与するための構成以外の構成を配置可能なスペースがある。よって、上記のように、外箱１０のＹ軸負側にジャッキ２１０を配置することにより、マッサージ機能を付与するための構成に支障なくジャッキ２１０を配置することができる。
【００７１】
なお、使用者の足先にマッサージを施さない場合には、外箱１０のＹ軸正側にジャッキ２１０を配しても良い。すなわち、本実施例のように、足先に対応するよう外箱１０のＹ軸正側近傍に水袋４０のカプラ４３が設けられていない場合、外箱１０のＹ軸負側には、マッサージ機能を付与するための構成以外の構成を配置可能なスペースがある。よって、使用者の足先にマッサージを施さない場合にも、外箱１０のＹ軸負側にジャッキ２１０を配することにより、マッサージ機能を付与するための構成に支障なくジャッキ２１０を配置することができる。なお、使用者の足先にもマッサージを施す場合には、ジャッキ２１０は使用者の頭側の端の位置、すなわち、外箱１０のＹ軸負側に配置されるのが望ましい。
【００７２】
＜実施例３＞
上記実施例１、２では、それぞれ取手９１の操作とジャッキ２１０の伸長により、水袋４０内の圧力が高められたが、本実施例では、水袋４０の上に設けられた枠に使用者が着座することにより、水袋４０内の圧力が高められる。以下、図１３〜図１５（ａ）を参照して、本実施例に係るウォーターベッド１の構成を組み立て手順に沿って説明する。
【００７３】
図１３は、外箱１０の構成を示す斜視図である。
【００７４】
本実施例の外箱１０は、上記実施例１の外箱１０において、凹部１２のＸ軸負側にＹ軸方向に延びる棚３０１が設けられ、棚３０１のＹ軸正側とＹ軸負側に位置する凹部１２の側面に、それぞれＹ軸方向に貫通する孔３０２が設けられている。また、本実施例の外箱１０では、Ｘ軸正側の上面１１が切り欠かれ、この部分に上面１１よりも一段低い面３０３が設けられている。面３０３のＹ軸正側とＹ軸負側の端部には、円弧状の突起３０４が設けられている。
【００７５】
また、本実施例の外箱１０は、上記実施例１の外箱１０において、鍔部１４と、鍔部１４の近傍の構成とが省略された構成となっている。また、本実施例の外箱１０では、上記実施例１と同様、図２（ｄ）を参照して説明したように、凹部１３にポンプユニット２０が設置され、凹部１３を覆うように板部材３０が設置される。本実施例の水袋４０は、上記実施例１の水袋４０と同様の構成となっている。
【００７６】
組み立て時には、図２（ｄ）を参照して説明したように、水袋４０の下面４２に予め設置された６つのカプラ４３が、ポンプユニット２０に接続され、水袋４０が凹部１２にセットされる。そして、図１３に示すように組み立てが行われた後、上記実施例１と同様、水袋４０の開口部４１ａを介して、水袋４０内に水が充填され、開口部４１ａが封止される。しかる後、図１４に示すように、枠部材３１０が軸３２０により外箱１０に設置され、枠部材３１０の上から、上記実施例１と同様のシート５０が設置される。
【００７７】
図１４は、枠部材３１０と軸３２０の構成を示す斜視図である。
【００７８】
枠部材３１０のＹ軸方向の長さは、水袋４０と略同じであり、枠部材３１０のＸ軸方向の長さは、水袋４０よりも大きい。枠部材３１０は、Ｚ軸方向に貫通する開口３１１を有し、開口３１１は、平面視において、水袋４０よりも小さい。また、枠部材３１０のＸ軸負側には、Ｙ軸方向に延びる孔３１２が設けられている。軸３２０の長さは、Ｙ軸方向における外箱１０の長さと略同じであり、軸３２０の径は、枠部材３１０の孔３１２の径よりも僅かに小さい。
【００７９】
組み立て時には、枠部材３１０の孔３１２が外箱１０の孔３０２と向かい合うよう、枠部材３１０が外箱１０に対して位置付けられ、この状態で、軸３２０が、２つの孔３０２と、枠部材３１０の孔３１２に通され、さらに、軸３２０がＹ軸方向に動かないよう固定される。続いて、シート５０の周辺部の下面側と枠部材３１０とが、マジックテープ（登録商標）により固定される。しかる後、上記実施例１と同様、表示入力部１００が設置され、図１５（ａ）に示すように、ウォーターベッド１の組み立てが完了する。
【００８０】
図１５（ｂ）、（ｃ）は、枠部材３１０の動作を示す模式図である。
【００８１】
枠部材３１０の上から力が加わっていない場合、枠部材３１０は、周辺部が水袋４０の上面４１によって支えられることにより、図１５（ａ）、（ｂ）に示すように水平な状態となる。一方、枠部材３１０のＸ軸正側の端部に上から力が加わると、枠部材３１０は、Ｙ軸方向に延びる軸３２０を回転の中心として回転し、図１５（ｃ）に示すように傾いた状態となる。
【００８２】
＜実施例３の効果＞
本実施例によれば、以下の効果が奏され得る。
【００８３】
図１６（ａ）に示すように、使用者がウォーターベッド１に乗り降りする際、枠部材３１０のＸ軸正側の端部に着座すると、枠部材３１０が、軸３２０を回転の中心として回転する。これにより、図１６（ｂ）に示すように、水袋４０の上面１１が、枠部材３１０のＸ軸正側の端部により下に押し下げられるため、水袋４０内の圧力が高められる。よって、使用者がウォーターベッド１に着座したときに、使用者の体重がシート５０を介して直接的に水袋４０にかけられても、枠部材３１０が回転しない場合に比べて、上面４１は撓みにくくなるため、使用者の沈み込みが抑制される。
【００８４】
たとえば、枠部材３１０のＸ軸正側の端部に着座した状態で、使用者が、ウォーターベッド１に横たわるために、シート５０の中央付近に手を付いた場合にも、手を付いた部分の沈み込みが抑制される。また、枠部材３１０のＸ軸正側の端部に着座した状態で、使用者が、ウォーターベッド１に横たわるために、臀部をシート５０の中央側へずらしても、臀部の沈み込みが抑制される。結果、使用者は円滑にシート５０に横たわることができるため、使用者がシート５０上に横たわる際の負担を効果的に軽減することができる。
【００８５】
また、面３０３には２つの突起３０４が設けられているため、枠部材３１０が最も傾いた状態になったとしても、枠部材３１０のＸ軸正側の端部と、面３０３との間には常に隙間が設けられる。よって、使用者が枠部材３１０のＸ軸正側の端部の下に指を入れた状態で着座したとしても、枠部材３１０のＸ軸正側の端部と面３０３とによって使用者の指が挟まれることがない。
【００８６】
また、使用者が枠部材３１０のＸ軸正側の端部に着座すると、枠部材３１０が傾いて、着座部分が低くなり、また、シート５０の上面も使用者の着座を受け入れるように傾くため、使用者は、ウォーターベッド１への移乗を進め易くなる。
【００８７】
また、図１７（ａ）に示すように、マッサージの際、使用者が枠部材３１０の開口３１１に収まるようにして横になると、枠部材３１０に使用者の体重が掛からなくなるため、枠部材３１０による水袋４０の上面４１の押さえ付けが解除される。これにより、水袋４０内の圧力が低下し、図１７（ｂ）に示すように、水袋４０の上面４１が撓み易くなる。よって、使用者がシート５０を介して水袋４０の上面４１に埋もれ易くなり、使用者に対してマッサージ効果を与えることができる。
【００８８】
以上、本発明の実施例１〜３について説明したが、本発明は、上記実施例に何ら制限されるものではなく、本発明の構成例も他に種々の変更が可能である。
【００８９】
たとえば、上記実施例１〜３では、水袋４０内に充填される液体を水としたが、他の液体であっても良い。
【００９０】
また、上記実施例１では、枠６０の上下方向の移動は、作業者が取手９１を操作することにより行われたが、これに限らず、電気的に機構が駆動されることにより、軸１５が回転するようにしても良い。たとえば、枠６０の上下方向の移動は、枠６０が固定された機構が電気的に上下に駆動されることにより行われても良い。
【００９１】
また、上記実施例１において、図６（ｂ）に示すように、水袋４０の上面４１の押さえつけが解除されているときに、枠６０が下方向に移動しないよう、別途、保持機構が設けられても良い。たとえば、外箱１０のＹ軸方向の側面に、外箱１０の内側と外側に移動可能な棒状の突出部材を設けても良い。この場合、枠６０が図６（ｂ）に示す状態になると、突出部材が外箱１０の内側から外側に移動され、鍔部７４の下方向への移動が抑制される。
【００９２】
また、上記実施例２では、突出部２３０は、水袋４０の下面４２に設けられたが、これに限らず、水袋４０の側面に設けられても良い。図１８（ａ）、（ｂ）に示す変更例では、突出部２３０が、水袋４０のＸ軸負側の側面に設けられ、この突出部２３０は、Ｙ−Ｚ平面に平行に配された板部材２２０を介して、Ｘ軸方向に伸縮するように配されたジャッキ２１０により押される。
【００９３】
この場合、使用者の移乗時には、図１８（ａ）に示すように突出部２３０がジャッキ２１０により押される。これにより、図１２（ｂ）の場合と同様、使用者の移乗時に水袋４０内の圧力が高められるため、使用者の沈み込みが抑制される。また、マッサージの際には、図１８（ｂ）に示すように突出部２３０がジャッキ２１０に押されることがない。これにより、図１２（ｃ）の場合と同様、上面４１が撓み易くなるため、使用者が水袋４０の上面４１に埋もれ易くなる。
【００９４】
また、図１８（ａ）、（ｂ）に示す変更例は、一方向の側面から水袋４０が押される構成とされたが、これに限らず、２方向の側面から水袋４０が押される構成とされても良い。また、必ずしも水袋４０に突出部２３０のような部分が設けられなくても良く、水袋４０の何れかの側面が内側に変形することによって、水袋４０内の圧力が高められれば良い。
【００９５】
また、上記実施例２では、枠６０の上下方向の移動は、作業者により表示入力部１００を介して指示が入力され、ジャッキ２１０が伸縮することにより行われたが、これに限らず、作業者からの力が伝達機構を介して枠６０を駆動する機構部に付与される構成であっても良い。たとえば、作業者がペダルを踏み込むことにより、伝達機構を介して機構部が駆動され、枠６０が上下方向に移動するようにしても良い。
【００９６】
この他、本発明の実施の形態は、特許請求の範囲に示された技術的思想の範囲内において、適宜、種々の変更が可能である。
【符号の説明】
【００９７】
１  …  ウォーターベッド
４０  …  水袋
６０  …  枠
９０  …  レバー
２１０  …  ジャッキ
３１０  …  枠部材
３２０  …  軸
【図１】
2015208475.tif 000003
【図２】
2015208475.tif 000004
【図３】
2015208475.tif 000005
【図４】
2015208475.tif 000006
【図５】
2015208475.tif 000007
【図６】
2015208475.tif 000008
【図７】
2015208475.tif 000009
【図８】
2015208475.tif 000010
【図９】
2015208475.tif 000011
【図１０】
2015208475.tif 000012
【図１１】
2015208475.tif 000013
【図１２】
2015208475.tif 000014
【図１３】
2015208475.tif 000015
【図１４】
2015208475.tif 000016
【図１５】
2015208475.tif 000017
【図１６】
2015208475.tif 000018
【図１７】
2015208475.tif 000019
【図１８】
2015208475.tif 000020